(57)【特許請求の範囲】
【請求項１】
白色照明光を平行な光束として出射する第１の光源部と、
前記白色照明光より狭い波長帯域の狭帯域光を扁平な状態で平行な光束として出射する第２の光源部と、
前記白色照明光の進行光路に対して所定傾斜角度（θ）に傾斜させて配置され、前記白色照明光を透過する透過部、および前記狭帯域光を少なくとも反射する反射部を持つ合波部材と、を有し、
該合波部材の前記反射部は、前記透過部の出射面の中央部に設けられ、その長手方向の長さが、これに直交する短手方向の長さより長く、かつ前記第１の光源部から出射された前記白色照明光の光束の幅の（１／ｓｉｎθ）倍に略等しい扁平な形状を有し、
前記第２の光源部から出射された前記狭帯域光の前記扁平な状態の前記平行な光束の縦横比は、前記反射部の長手方向の長さを（ｓｉｎθ）倍した長さと前記反射部の短手方向の長さとの比と等しく、
前記合波部材において、前記第１の光源部から出射された前記白色照明光の光束を前記透過部に透過させて、かつ、前記第２の光源部から出射された前記狭帯域光の光束を前記反射部で反射させて、前記白色照明光の光束と前記狭帯域光の光束とを合波することを特徴とする内視鏡用光源装置。
【請求項２】
前記第２の光源部は、前記狭帯域光を出射する第２の光源と、
前記第２の光源から出射された前記狭帯域光を前記扁平な状態で前記平行な光束として出射するレンズとを有する請求項１に記載の内視鏡用光源装置。
【請求項３】
前記レンズは、前記第２の光源から出射した前記狭帯域光の光束の縦横比を変化させて、前記狭帯域光の光束を前記扁平な状態の平行な光束に整形するコリメータレンズである請求項２に記載の内視鏡用光源装置。
【請求項４】
前記第２の光源は、前記レンズから前記扁平な状態で出射された前記狭帯域光の光束の縦横比と等しい縦横比を持つ扁平な光束の前記狭帯域光を出射し、
前記レンズは、前記第２の光源から出射された前記狭帯域光の前記扁平な光束を、その縦横比を変化させずに、前記扁平な状態の平行な光束に整形するコリメータレンズである請求項２に記載の内視鏡用光源装置。
【請求項５】
前記第１の光源部は、前記白色照明光を出射する第１の光源と、
前記第１の光源から出射された前記白色照明光を前記平行な光束に整形するコリメータレンズと、を有する請求項１〜３のいずれかに記載の内視鏡用光源装置。
【請求項６】
前記合波部材の前記所定傾斜角度は、３０°〜６０°である請求項１〜５のいずれかに記載の内視鏡用光源装置。
【請求項７】
前記合波部材の前記所定傾斜角度は、略４５°であり、前記白色照明光の進行光路と前記狭帯域光の進行光路とは、直交する請求項１〜６のいずれかに記載の内視鏡用光源装置。
【請求項８】
前記合波部材の前記反射部の前記短手方向の長さは、前記透過部の長手方向の長さの１０％〜５０％である請求項１〜７のいずれかに記載の内視鏡用光源装置。
【請求項９】
前記合波部材の前記反射部の反射面のサイズは、前記合波部材の全出射面のサイズの１％〜２５％である請求項１〜８のいずれかに記載の内視鏡用光源装置。
【請求項１０】
前記扁平な状態の前記狭帯域光の光束の短手方向の長さは、前記白色照明光の光束の中心に存在する、その光量分布の低下部分の直径と略同一である請求項１〜９のいずれかに記載の内視鏡用光源装置。
【請求項１１】
前記第２の光源部から前記扁平な状態で出射される前記狭帯域光の光束の形状及びサイズは、前記反射部の反射面の形状及びサイズと一致する請求項１〜１０のいずれかに記載の内視鏡用光源装置。
【請求項１２】
前記反射部の形状が、長方形、長円形または楕円形である請求項１〜１１のいずれかに記載の内視鏡用光源装置。
【請求項１３】
前記第２の光源が、半導体光源である１〜１２のいずれかに記載の内視鏡用光源装置。
【請求項１４】
前記第１の光源が、放電管である請求項１〜１３のいずれかに記載の内視鏡用光源装置。
【請求項１５】
前記透過部は、入射面および出射面に反射防止膜が設けられている請求項１〜１４のいずれかに記載の内視鏡用光源装置。
【請求項１６】
前記反射部は、ダイクロイックミラー部である請求項１〜１５のいずれかに記載の内視鏡用光源装置。
【発明の詳細な説明】
【技術分野】
【０００１】
本発明は、内視鏡診断において、内視鏡により、特定の狭い波長帯域光を生体の粘膜組織に照射し、所望の深さの組織情報を得る特殊光観察と、可視光を照射する通常観察との両方の観察を可能にする内視鏡用光源装置に関する。
【背景技術】
【０００２】
従来、内視鏡診断においては、内視鏡の光源装置からの白色照明光等の可視光をライトガイドにより導光し、このライトガイドで導光された白色照明光を内視鏡挿入部の先端の照明窓から出射して検査対象部位を照明し、検査対象部位を観察する通常観察を行う内視鏡装置が用いられている。
【０００３】
これに対して、近年内視鏡診断においては、上記のような白色照明光による通常観察に加えて、白色照明光より狭い特定の波長帯域の光（以下、狭帯域光ともいう）を体腔壁の粘膜組織等の生体組織に照射し、生体組織の所望の深さの組織情報を得る、特殊光観察を行える内視鏡装置が活用されている。
【０００４】
このような内視鏡装置では、例えば粘膜層あるいは粘膜下層に発生する新生血管の微細構造、病変部の強調等、通常の観察像では得られない生体情報を簡単に可視化できる。例えば、観察対象が癌病変部である場合、青色の狭帯域光を粘膜組織に照射すると組織表層の微細血管や微細構造の状態がより詳細に観察できるため、病変部をより正確に診断することができる。
【０００５】
特殊光観察においては、上記のような狭帯域光を用いた観察の他に、体腔壁に励起光を照射し、生体組織を励起することにより発生する自家蛍光の強度の違いを利用して、癌病変部の早期発見を可能にする蛍光観察を行う内視鏡装置も活用されている。
上記のような特殊光観察を行う内視鏡装置に用いられる内視鏡用光源装置が、特許文献１および２に開示されている。
【０００６】
特許文献１および２に開示される内視鏡用光源装置は、白色照明光（白色光）を発する白色光源と、他方、紫外域側の短波長の光である励起光を発する励起光源としての半導体レーザとを有し、白色光源から白色照明光を入射させるライトガイドまでの光路は直線的に配置され、他方、励起光の光路は、白色照明光の光路に対して垂直に交差するように配置され、この二つの光路を光路合成素子であるダイクロイックミラーで合成する。
この例では、ダイクロイックミラーは、特定の波長以上の光を透過させて特定の波長以下の光を反射させる特性を有し、これにより白色照明光の大部分を透過させ、励起光を反射させている。
【０００７】
一方、上述した狭帯域光観察では、生体組織の内の組織表層の微細血管や微細構造を観察し易くするために、生体組織に照射する狭帯域光として、主として生体組織の中層及び深層組織の観察に適した赤色（Ｒ）の狭帯域光を用いずに、表層組織の観察に適した青色（Ｂ）の狭帯域光と中層組織及び表層組織の観察に適した緑色（Ｇ）の狭帯域光と２種類の狭帯域光のみを用い、Ｂ狭帯域光の照射によって撮像センサで得られる、主として表層組織の情報を含むＢ画像信号（Ｂ狭帯域データ）とＧ狭帯域光の照射によって撮像センサで得られる、主として中層組織及び表層組織の情報を含むＧ画像信号（Ｇ狭帯域データ）のみを用い、Ｇ画像信号（Ｇ狭帯域データ）をカラー画像のＲ画像データに割り付け、Ｂ画像信号をカラー画像のＧ画像データ及びＢ画像データに割り付け、３ｃｈ（チャンネル）のカラー画像データからなる疑似カラー画像を生成し、モニタ等に表示している（特許文献３参照）。
【０００８】
特許文献３に開示の技術では、狭帯域光観察に用いられるＢ狭帯域光とＧ狭帯域光との２種類の狭帯域光は、通常光観察に用いられる白色光源からの光をカラーフィルタによって時分割で切り替えることにより、面順次に発光されている。なお、通常光観察においても、白色光源からの光をカラーフィルタによって時分割で切り替えてＲＧＢ光を面順次に発光させている。
【先行技術文献】
【特許文献】
【０００９】
【特許文献１】特開２００５−３４２０３３号公報
【特許文献２】特開２００５−３４２０３４号公報
【特許文献３】特許第４００９６２６号公報
【発明の概要】
【発明が解決しようとする課題】
【００１０】
ところで、特許文献１および２に開示の内視鏡用光源装置では、特殊光観察として自家蛍光による蛍光観察を行うので、励起光として紫外域側の短波長の光を用いているため、白色光と励起光とをダイクロイックミラーで合波しても、白色光の可視波長領域の中の特定波長域の光成分が抜けることはない。しかしながら、特許文献１および２に開示の技術を、可視波長領域内の狭帯域光を用いる特殊光観察を行うための内視鏡用光源装置に適用した場合、白色光と狭帯域光とをダイクロイックミラーで合波するため、狭帯域光の光源が点灯していない場合には、この内視鏡用光源装置から出射する白色光から狭帯域光の波長帯域の光が抜けてしまうという問題が生じる。すなわち、このような内視鏡用光源装置では、通常観察を行う場合、白色光における狭帯域光の波長帯域（特定波長域）の光量が大幅に低減してしまう。そのため、このような内視鏡用光源装置を用いた内視鏡によって通常観察を行うと、通常よりも得られる被写体や被検体の画像の精度が大幅に低下し、さらに画像全体が暗くなり、病変部等を見落とす誤診等を引き起こす恐れがあるという問題がある。
【００１１】
ところで、特許文献３に開示の技術では、特殊光観察に用いられる狭帯域光は、通常観察時に出射させる白色光（ＲＧＢ）光に比べて狭帯域であるため、狭帯域光源の出射光量は、白色光源の出射光量に比して低下し、通常観察時に比較してモニタに表示される画像全体が暗くなるという問題がある。
そこで、特許文献３に開示の内視鏡装置に特許文献１および２に開示される技術を適用することにより、狭帯域光観察時の光源光量の低下は、ある程度解消することができるが、上述したように通常観察時に重大な問題が生じるため、特許文献３に開示の内視鏡装置に特許文献１および２に開示される技術を適用することができなかった。
【００１２】
そこで、本発明の目的は、特殊光観察および通常観察の両方の観察の際に、白色照明光の特定波長域の光量が低減することなく、高精度な画像を得ることができ、かつ画像全体を明るくすることができ、これにより、高度な診断を可能にする内視鏡用光源装置を提供することにある。
【課題を解決するための手段】
【００１３】
上記目的を達成するために、本発明は、白色照明光を平行な光束として出射する第１の光源部と、前記白色照明光より狭い波長帯域の狭帯域光を扁平な状態で平行な光束として出射する第２の光源部と、前記白色照明光の進行光路に対して所定傾斜角度（θ）に傾斜させて配置され、前記白色照明光を透過する透過部、および前記狭帯域光を少なくとも反射する反射部を持つ合波部材と、を有し、該合波部材の前記反射部は、前記透過部の出射面の中央部に設けられ、その長手方向の長さが、これに直交する短手方向の長さより長く、かつ前記第１の光源部から出射された前記白色照明光の光束の幅の（１／ｓｉｎθ）倍に略等しい扁平な形状を有し、前記第２の光源部から出射された前記狭帯域光の前記扁平な状態の前記平行な光束の縦横比は、前記反射部の長手方向の長さを（ｓｉｎθ）倍した長さと前記反射部の短手方向の長さとの比と等しく、前記合波部材において、前記第１の光源部から出射された前記白色照明光の光束を前記透過部に透過させて、かつ、前記第２の光源部から出射された前記狭帯域光の光束を前記反射部で反射させて、前記白色照明光の光束と前記狭帯域光の光束とを合波することを特徴とする内視鏡用光源装置を提供する。
【００１４】
本発明においては、前記第２の光源部は、前記狭帯域光を出射する第２の光源と、前記第２の光源から出射された前記狭帯域光を前記扁平な状態で前記平行な光束として出射するレンズとを有するのが好ましい。
ここで、前記レンズは、前記第２の光源から出射した前記狭帯域光の光束の縦横比を変化させて、前記狭帯域光の光束を前記扁平な状態の平行な光束に整形するコリメータレンズであるのが好ましい。
また、前記第２の光源は、前記レンズから前記扁平な状態で出射された前記狭帯域光の光束の縦横比と等しい縦横比を持つ扁平な光束の前記狭帯域光を出射し、前記レンズは、前記第２の光源から出射された前記狭帯域光の前記扁平な光束を、その縦横比を変化させずに、前記扁平な状態の平行な光束に整形するコリメータレンズであるのが好ましい。
【００１５】
また、本発明においては、前記第１の光源部は、前記白色照明光を出射する第１の光源と、前記第１の光源から出射された前記白色照明光を前記平行な光束に整形するコリメータレンズと、を有するのが好ましい。
【００１６】
また、本発明においては、前記合波部材の前記所定傾斜角度は、３０°〜６０°であるのが好ましく、さらに、前記合波部材の前記所定傾斜角度は、略４５°であり、前記白色照明光の進行光路と前記狭帯域光の進行光路とは、直交するのが好ましい。
【００１７】
また、本発明においては、前記合波部材の前記反射部の前記短手方向の長さは、前記透過部の長手方向の１０％〜５０％であるのが好ましい。
他方、本発明においては、前記合波部材の前記反射部の反射面のサイズは、前記合波部材の全出射面のサイズの１％〜２５％であるのが好ましい。
さらに、本発明においては、前記扁平な状態の前記狭帯域光の光束の短手方向の長さは、前記白色照明光の光束の中心に存在する、その光量分布の低下部分の直径と略同一であるのが好ましい。
【００１８】
また、本発明においては、前記第２の光源部から前記扁平な状態で出射される前記狭帯域光の光束の形状及びサイズは、前記反射部の反射面の形状及びサイズと一致するのが好ましい。
また、本発明においては、前記反射部の形状が、長方形、長円形または楕円形であるのが好ましい。
【００１９】
また、本発明においては、前記第２の光源が、半導体光源であるのが好ましく、他方、前記第１の光源が、放電管であるのが好ましい。
【００２０】
また、本発明においては、前記透過部は、入射面および出射面に反射防止膜が設けられているのが好ましい。
また、本発明においては、前記反射部は、ダイクロイックミラー部であるのが好ましい。
【発明の効果】
【００２１】
本発明の内視鏡用光源装置は、白色照明光の特定波長域の大幅な光量の低減を防ぐことができ、これにより、特殊観察および通常観察のいずれの観察においても、高精度な画像を得ることができ、かつ画像全体を明るくすることができるため、高度な内視鏡診断を可能にする。
【図面の簡単な説明】
【００２２】
【図１】本発明に係る内視鏡システムの全体構成の一実施例を模式的に示すブロック図である。
【図２】本発明の内視鏡用光源装置の構成の一実施例を模式的に示す正面模式図である。
【図３】（ａ）は、図２に示す本発明の光源装置の第２の光源部２６から合波部材４６までの光路を光ファイバ２０側からみて表した模式図である。（ｂ）は、図２に示す本発明の光源装置の第１の光源部２４からロッドインテグレータ５０までの光路を第２の光源部２６側からみて表した模式図である。（ｃ）は、図３（ａ）および（ｂ）を反射部材５４の中心で合成した展開図である。
【図４】図２に示す本発明の光源装置に用いられる回転フィルタの構成を示す正面図である。
【図５】（ａ）および（ｂ）は、それぞれ図４に示す回転フィルタの第１のフィルタ組および第２のフィルタ組の分光特性を示すグラフである。
【図６】（ａ）および（ｂ）は、それぞれ図２に示す本発明の光源装置に用いる合波部材の一実施例の側面図および正面図である。
【図７】本発明を説明するために用いる合波部材の正面図である。
【図８】本発明を説明するために本発明の光源装置の特殊光光源から合波部材までの狭帯域光の光路を模式的に示す説明図である。
【図９】本発明に用いられる狭帯域光のガウス分布を示すグラフである。
【発明を実施するための形態】
【００２３】
以下、本発明に係る内視鏡システムを、添付の図面に示す好適実施例を参照して詳細に説明する。
図１は、本発明の内視鏡用光源装置を有する内視鏡システムの全体構成の一実施例を模式的に示すブロック図である。
同図に示すように、本実施例の内視鏡システム１０は、内視鏡１２と、本発明の内視鏡用光源装置１４と、プロセッサ１６と、入出力部１８とを有する。
ここで、内視鏡用光源装置（以下、単に光源装置ともいう）１４及びプロセッサ１６は、内視鏡１２の制御装置を構成し、内視鏡１２は、光源装置１４と光学的に接続され、プロセッサ１６と電気的に接続される。また、プロセッサ１６は、入出力部１８及び光源装置１４と電気的に接続される。そして、入出力部１８は、画像情報等を出力表示する表示部（モニタ)３０、画像情報等を出力する記録部（図示せず）、及び通常観察モード（通常光モードともいう）や特殊光観察モード（特殊光モードともいう）などのモード設定や機能設定等の入力操作を受け付けるＵＩ（ユーザインタフェース）として機能する入力部３２を有する。
【００２４】
内視鏡１２は、その先端から照明光を出射するための光ファイバ２０を含む照明光学系と、被観察領域を撮像する撮像素子（センサ）２２及びスコープケーブル４１を含む撮像光学系とを有する、電子内視鏡である。なお、図示しないが、内視鏡１２は、被検体内に挿入される内視鏡挿入部と、内視鏡挿入部の先端の湾曲操作や観察のための操作を行う操作部と、内視鏡１２を制御装置の光源装置１４及びプロセッサ１６に着脱自在に接続するコネクタ部を備える。さらに、図示はしないが、操作部及び内視鏡挿入部の内部には、組織採取用処置具等を挿入する鉗子チャンネルや、送気・送水用のチャンネル等、各種のチャンネルが設けられる。
【００２５】
内視鏡１２の先端部分には、図１に示すように、被観察領域へ光を照射する照射口２８Ａが設けられ、この照射口２８Ａに隣接する受光部２８Ｂに被観察領域の画像情報を取得するモノクロのＣＣＤ(Charge Coupled Device）イメージセンサやＣＭＯＳ(Complementary Metal-Oxide Semiconductor）イメージセンサ等の撮像素子（センサ）２２が配置されている。内視鏡１２の照射口２８Ａには、照明光学系を構成するカバーガラスやレンズ（図示せず）が配置され、受光部２８Ｂの撮像素子２２の受光面には撮像光学系を構成する対物レンズユニット（図示せず）が配置される。
内視鏡挿入部は、操作部の操作により湾曲自在にされ、内視鏡１２が使用される被検体の部位等に応じて、任意の方向及び任意の角度に湾曲でき、照射口２８Ａ及び受光部２８Ｂを、すなわち撮像素子２２の観察方向を、所望の観察部位に向けることができる。
【００２６】
次に、図１〜図３を参照して、本発明の光源装置１４を説明する。
なお、図２は、本発明の光源装置の構成の一実施例を模式的に示す正面模式図である。他方、図３（ａ）は、図２に示す光源装置の第２の光源部２６から合波部材４６までの光路を光ファイバ２０側からみて表した模式図であり、図３（ｂ）は、図２に示す光源装置の第１の光源部２４からロッドインテグレータ５０までの光路を第２の光源部２６側からみて表した模式図であり、図３（ｃ）は、図３（ａ）および（ｂ）を反射部材５４で併せた展開図である。
本発明の光源装置１４は、図２および図３に示すように、第１の光源部２４と、第２の光源部２６と、合波部材４６と、回転フィルタ４７と、集光レンズ４８と、ロッドインテグレータ５０とで構成される。
【００２７】
第１の光源部２４は、白色照明光を平行な光束として出射するものである。
第１の光源部２４は、本実施例においては、図２および図３に示すように、アノード３６ａおよびカソード３６ｂを有し、この電極間に電圧を印加することにより電極間にアーク（白色発光光）を発生させ、通常光モードおよび特殊光モードの両方に用いられる白色照明光（以下、単に白色光ともいう）を出射するキセノン光源（第１の光源）３６と、キセノン光源３６から出射された白色光をほぼ平行光束にする収斂光学系であるリフレクタ（放物面鏡）３４とで構成される。
他方、リフレクタ３４は、キセノン光源３６から放射される白色光を平行光束にして出射するためのもので、図示例では、キセノン光源３６のカソード３６ａおよびアノード３６ｂ間に電圧を印加することでこの電極間に発生するアーク（白色発光光）が焦点近傍に来るように配置された放物面ミラーからなるリフレクタを用いている。
【００２８】
なお、本実施例においては、キセノン光源３６とリフレクタ３４とで第１の光源部２４を構成しているが、本発明においては、これに限定されず、第１の光源３６については、白色光を出射する光源であれば特に限定はなく、キセノン光源の他、例えば、水銀ランプ、メタルハライドランプ等の放電型の高輝度ランプ光源等の放電管を用いることができ、他方、リフレクタ３４についても、第１の光源３６から放射される白色光を平行光束にできるものであれば、特に限定は無く、コリメータレンズ等の公知のものを用いることができる。
なお、キセノン光源としては、パーキンエルマージャパン社製の３００Ｗのキセノンランプが好ましく用いられる。
【００２９】
第２の光源部２６は、特殊光モードに用いられ、かつ、白色照明光より狭い波長帯域の狭帯域光を、その縦横比が後に述べる合波部材４６の反射部材５４の長手方向の長さをｓｉｎθ倍した長さと反射部材５４の短手方向の長さとの比と等しい扁平な状態で平行な光束として出射するものであり、本実施例においては、特殊光光源（第２の光源）４２とコリメータレンズ４４とを有する。
【００３０】
特殊光光源４２は、本実施形態においては、狭帯域光を出射するためのレーザ光源やＬＥＤ光源であって、例えば、青紫色レーザ光を出射する青紫色レーザ光源（４０５ＬＤ）等の青色系統のレーザ光を出射する半導体レーザ光源又は青色ＬＥＤ光を出射する青色ＬＥＤ等を用いる。
なお、特殊光光源４２は、本発明においては、白色光より狭い波長帯域の狭帯域光を出射する光源であれば、特に限定は無く、青紫色レーザ光源（４０５ＬＤ）又は青色ＬＥＤ等の青色系統の半導体レーザ光源又はＬＥＤ光源等以外のレーザ光源やＬＥＤ光源を用いてもよいが、表層組織を観察する場合には、青色系統のレーザ光源やＬＥＤ光源を用いるのが好ましい。
【００３１】
他方、コリメータレンズ４４は、本実施例においては、特殊光光源４２から出射された半導体レーザ光（レーザ光）やＬＥＤ光（以下、単に狭帯域光という）の光束を平行光束にすると共に、その縦横比を、後に述べる合波部材４６の反射部材５４の長手方向の長さをｓｉｎθ倍した長さと反射部材５４の短手方向の長さとの比と等しくなるように変形させて、狭帯域光の光束を扁平な状態に整形するものである。
コリメータレンズ４４は、特殊光光源４２から出射した狭帯域光（レーザ光）の光束を、このような扁平な状態に整形するために、狭帯域光の光束の長手方向のサイズを成形するための短手方向のみにパワー（倍率）を持つシリンドリカルレンズ及び狭帯域光の光束の短手方向のサイズを整形するための長手方向のみにパワー（倍率）を持つシリンドリカルレンズの２枚のシリンドリカルレンズを組み合わせたものや、このような２枚のシリンドリカルレンズの機能を合わせ持つ組レンズなどを用いることができる。
【００３２】
また、第２の光源部２６は、本実施例においては、特殊光光源４２から出射され、コリメータレンズ４４で扁平な形状、例えば略矩形（略長方形）状に整形された狭帯域光の光路が、第１の光源部２４のキセノン光源３６から出射された白色光の光路と略直交し、狭帯域光が白色光に対して略直交する方向から合波部材４６に入射するように、白色光の光路の外側側方に配置される。なお、ここで言う略長方形とは、長方形の形状から少し丸みを帯びたものをいう。
【００３３】
なお、本実施例においては、第２の光源部２６は、特殊光光源４２から出射された狭帯域光の光束を、コリメータレンズ４４において、後に述べる合波部材４６の反射部材５４の長手方向の長さをｓｉｎθ倍した長さと反射部材５４の短手方向の長さとの比と等しくなるように変形させて、扁平な状態で平行な光束として出射しているが、本発明においては、第２光源部２６から出射される狭帯域光の扁平な状態の平行な光束の縦横比が、反射部材５４の長手方向の長さをｓｉｎθ倍した長さと反射部材５４の短手方向の長さの比と等しければ良く、特殊光光源４２から、合波部材４６の反射部材５４の長手方向の長さをｓｉｎθ倍した長さと反射部材５４の短手方向の長さとの比と縦横比が等しい縦横比を有する扁平な光束の狭帯域光を出射し、コリメータレンズ４４において、特殊光光源４２から出射された狭帯域光の扁平な光束を、その縦横比を変化させずに、扁平な状態の平行な光束に整形して出射してもよい。
【００３４】
また、本発明においては、第２光源部２６から扁平な状態で出射される狭帯域光の形状およびサイズ（大きさ）は、光束の縦横比が、反射部材５４の長手方向の長さをｓｉｎθ倍した長さと反射部材５４の短手方向の長さの比と等しければ、特に限定は無いが、特に、反射部材５４の反射面の形状およびサイズと一致するのが好ましい。
【００３５】
また、第２の光源部２６から扁平な状態で出射される狭帯域光の光束の短手方向の長さは、第１の光源部２４から出射される白色光の光束の中心に存在する、その光量分布の低下部分の直径と略同一であるのが好ましい。このようにすることにより、キセノン光源３６の電極を支持する部分の影となっているために白色発光光があまり存在していない白色光の光束の中心の光量分布の低下部分に、その直径の（１／ｓｉｎθ）倍の長さを長手方向の長さとする扁平な反射部材５４を配置することができるので、白色光を有効に利用することができる。
【００３６】
合波部材４６は、本発明の特徴部分であり、第１の光源部２４から出射される白色光の進行光路に対して所定傾斜角度（θ）に傾斜させて配置され、後に詳述する白色光を透過する透過部材５２と、第２の光源部２６から出射される狭帯域光を少なくとも反射する反射部材５４とを有するものである。
また、合波部材４６は、通常光モードの際には、白色光を透過させ、特殊光モードの際には、第１の光源部２４から出射される白色光の光束を透過させると共に、第２の光源部２６から出射される狭帯域光の光束を反射させることにより、白色光の光束と狭帯域光の光束とを合波して、合波光を生成するものである。本明細書では、白色光の光路に沿って第１の光源部２４の側を上流側、内視鏡１２の光ファイバ２０の側を下流側という。
【００３７】
なお、本発明においては、合波部材４６の第１の光源部２４から出射される白色光の進行光路に対する所定傾斜角度（θ）については、特に限定は無いが、３０°〜６０°であるのが好ましく、さらに、略４５°であるのが好ましい。このように、所定傾斜角度（θ）が、略４５°の場合には、白色光の進行光路と狭帯域光の進行光路とが直行する。
なお、合波部材４６については、さらに後に詳述する。
【００３８】
合波部材４６の下流側には、回転フィルタ４７が配置される。
ここで、図４は、図１に示す回転フィルタの構成を示す図であり、図５（ａ）は、図４の回転フィルタの第１のフィルタ組の分光特性を示す図であり、他方、図５（ｂ）は、図４の回転フィルタの第２のフィルタ組の分光特性を示す図である。
回転フィルタ４７は、通常モードでは、キセノン光源３６から出射され、合波部材４６を透過した白色光を赤色（Ｒ）成分、緑色（Ｇ）成分及び青色（Ｂ）成分に分離するとともに、特殊光モードでは、キセノン光源３６から出射された白色光と特殊光光源４２から出射された狭帯域光との合波部材４６による合波光を、Ｇ成分の波長域に含まれ、これより狭い波長域のＧ狭帯域成分、及びＢ成分の波長域に含まれ、これより狭い波長域のＢ狭帯域成分に分離するものである。
【００３９】
回転フィルタ４７は、図４に示すように、円盤状に構成され中心を回転軸とした２重構造となっている。この２重構造の外側の径部分には、図５（ａ）に示すような色再現に適したオーバーラップした分光特性の面順次光を出力するための第１のフィルタ組を構成するＲ１フィルタ部４７ｒ１、Ｇ１フィルタ部４７ｇ１、Ｂ１フィルタ部４７ｂ１が配置される。図５（ａ）に示すように、回転フィルタ４７のＲ１フィルタ部４７ｒ１はＲ成分を分離し、Ｇ１フィルタ部４７ｇ１はＧ成分を分離し、Ｂ１フィルタ部４７ｂ１はＢ成分を分離する。他方、回転フィルタ４７の２重構造の内側の径部分には、図５（ｂ）に示すような所望の層組織情報が抽出可能な離散的な分光特性の２バンドの狭帯域な面順次光を出力するための第２のフィルタ組を構成するＧ２フィルタ部４７ｇ２、Ｂ２フィルタ部４７ｂ２、遮光フィルタ部４７Ｃｕｔが配置されている。図５（ｂ）に示すように、回転フィルタ４７のＧ２フィルタ部４７ｇ２はＧ狭帯域成分を分離し、Ｂ２フィルタ部４７ｂ２はＢ狭帯域成分を分離する。
回転フィルタ４７は、図示しない制御回路により回転フィルタモータ４７ａの駆動制御がなされ回転する。さらに、径方向の移動が後述する通常光モードと特殊光モードとの切り替えの際に、入力部３２又はプロセッサ１６からの制御信号によりモード切替モータ（図示せず）によって行われる。
【００４０】
集光レンズ４８は、回転フィルタ４７の下流側に配置され、合波部材４６を透過した白色光又は合波部材４６で合波された白色光と狭帯域光との合波光から、回転フィルタ４７で分離された白色光又は合波光の各色成分（以下、面順次光ともいう）を、後に述べるロッドインテグレータ５０の一端に集光するためのものである。集光レンズ４８は、合波光の各色成分がロッドインテグレータ５０の入射端面全体に入射するように、面順次光のサイズが、ロッドインテグレータ５０の入射端面のサイズとなるように集光する。なお、集光レンズ４８としては、集光光学系で用いられる公知の集光レンズを用いればよい。
【００４１】
ロッドインテグレータ５０は、集光レンズ４８の下流側に配置され、合波部材４６で合波され、回転フィルタ４７で分離され、集光レンズ４８で集光された各面順次光（白色光及び合波光の各色成分）を、面内光量分布を均一化した上で、内視鏡１２の光ファイバ２０の入射端面に入射させるためのものである。すなわち、ロッドインテグレータ５０は、集光レンズ４８で集光された各面順次光を、入射端面から入射させ、内部で多重反射させて、出射端面内の光量分布を均一化して、出射端面から出射させ、出射された各分離光の全光束を余すところなく、内視鏡１２の光ファイバ２０の入射端面に入射させる。
【００４２】
なお、ロッドインテグレータ５０は、その入射端面に入射した光を、内部で多重反射（全反射）を繰り返させることにより、出射端面を出射する光の出射端面内の光量分布を均一にするものであり、入射端面に入射した光の光線角度が保存され、入射光の各光線は、自身の入射端面への入射角度と同じ出射角度で出射するものである。
特に、本発明において、特殊光モード時に、合波部材４６で合波され、回転フィルタ４７で分離され、集光レンズ４８で集光された各面順次光（合波光の各色成分）がロッドインテグレータに入射する際には、合波光のうちの狭帯域光の各面順次光は、後に述べる合波部材４６の反射部材５４の長手方向においては、白色光の各面順次光と同じＮＡで入射し、短手方向においては、白色光の各面順次光よりも細い幅で入射する。また、ロッドインテグレータ５０は、入射した各面順次光を出射端面から出射する際には、各面順次光の、出射端面内の光量分布を均一にする。
なお、本発明においては、ロッドインテグレータ５０には、特に限定はなく、内視鏡装置の照明光学系に一般的に用いられている公知のロッドインテグレータを用いればよい。
【００４３】
ここで、図６を用いて、本発明の光源装置の特徴部分である合波部材４６について詳述する。
なお、図６は、（ａ）は、本発明の光源装置の特徴部分である合波部材４６の一実施例の側面図を、図６（ｂ）は、正面図を示し、図６（ａ）の図面向かって左側の面が入射面であり、他方、図６（ａ）の図面向かって右側及び図６（ｂ）の正面が出射面（狭帯域光の反射面）である。
【００４４】
合波部材４６は、本実施例においては、図６に示すように、楕円状の透過部材５２と、透過部材５２の出射面の中央部に設けられ、その長手方向の長さが、これに直行する短手方向の長さより長く、かつ第１の光源部２４から出射された白色光の光束の幅の（１／ｓｉｎθ）倍に等しい扁平な形状を有する反射部材５４とで構成される。
【００４５】
透過部材５２は、第１の光源部２４から出射される白色光の光束を透過する部材であり、白色光の光束を透過することができればどのような部材を用いてもよい。
なお、図示例においては、透過部材５２の短手方向の長さは、キセノン光源３６から出射される平行光束の太さに等しく、他方、短手方向に直行する長手方向の長さは、キセノン光源３６から出射される平行光束の太さの（１／ｓｉｎθ）倍である楕円状の透過部材５２を用いているが、本発明においては、白色光の光束を透過することができれば、どのような大きさの透過部材を用いてもよく、また、その形状も、正方形、長方形、円形等のどのような形状の透過部材を用いてもよい。
例えば、合波部材４６の白色光の進行光路に対する所定傾斜角度（θ）が４５°で、キセノン光源３６から出射される平行光束の太さの直径が約２５．４ｍｍの場合には、短手方向の長さが、２５．４ｍｍで、長手方向の長さが、２５．４ｍｍの２／√２倍の約３５．９ｍｍの楕円状の透過部材を用いても良いし、この楕円の面積以上の楕円以外の形状の透明部材を用いてもよい。
【００４６】
また、本発明においては、透過部材５２の入射面及び／又は出射面に、反射防止膜（図示せず）を設けるのが好ましい。反射防止膜としては、特に限定は無いが、公知の反射防止膜を用いることができる。このような反射防止膜を設けることにより、透明部材５２の入射面及び／又は出射面で白色光が不要に反射することを防止し、白色光の透過効率を向上させることができる。このような反射防止膜によって、例えば、片面に付き、５％程度の表面反射を無くすことができる。
【００４７】
他方、反射部材５４は、透過部材５２の出射面の中央部に設けられ、第２の光源部２６から出射された狭帯域光を白色光の光路の下流側に向けて反射するものであり、その長手方向の長さが、これに直行する短手方向の長さより長く、かつ第１の光源部２４から出射された白色光の光束の幅の（１／ｓｉｎθ）倍に等しい略矩形（略長方形）の光反射部材である。
【００４８】
なお、本実施例においては、反射部材５４のサイズ（大きさ）については、その長手方向の長さが、これに直行する短手方向の長さより長く、かつ第１の光源部２４から出射された白色光の光束の幅の１／ｓｉｎθ倍に等しければ、特に限定は無いが、反射部材５４の短手方向の長さは、透過部材５２の長手方向の長さの１０％〜５０％であるのが好ましく、また、反射部材５４の反射面のサイズは、合波部材４６の全出射面のサイズの１％〜２５％であるのが好ましい。
【００４９】
なお、本実施例においては、略矩形（略長方形）の反射部材５４を用いているが、本発明においてはこれに限定されず、その長手方向の長さが、これに直行する短手方向の長さより長く、かつ第１の光源部２４から出射された白色光の光束の幅の１／ｓｉｎθ倍に等しい反射部材であれば、どのような形状の反射部材を用いても良く、例えば、長円形状または楕円形状の扁平な形状ものを用いても良い。
また、反射部材５４のサイズは、第２の光源部２６から出射された狭帯域光の光束のサイズと一致しているのが好ましいが、本発明においては、一致していなくても良く、狭帯域光の光束のサイズより、大きくても小さくても良い。
【００５０】
なお、反射部材５４は、本発明において、第２の光源部２６から出射された狭帯域光を反射できるものであれば、例えば、上流側から合波部材４６に入射する白色光を反射したり吸収したりすることにより、下流側に透過させず、狭帯域光を下流側に反射するものであっても良いが、白色光の一部の波長領域の成分、すなわち狭帯域光の波長領域を除く波長領域の成分を透過させることができるダイクロイックミラーを用いるのが好ましい。反射部材５４として、ダイクロイックミラー用いることにより、反射部材５４においても、反射する狭帯域光の波長領域を除く波長領域の白色光の成分を透過させることができるので、白色光を有効に利用することができ、合波光の光量をより向上させることができる。
【００５１】
なお、本実施例においては、透過部材５２の出射面の中央部に異なる部材である反射部材５４を設けることにより合波部材４６を構成しているが、本発明は、これに限定されず、白色照明光を透過させる透過部と狭帯域光を少なくとも反射させる反射部とを持ち、反射部が、透過部の出射面の中央部に設けられ、かつ、その長手方向の長さがこれに直交する短手方向の長さより長く、第１の光源部２４から出射された白色照明光の光束の幅の（１／ｓｉｎθ）倍にほぼ等しい扁平な形状を有するものであれば、透過部と反射部とは別々の部材である必要はなく、例えば、透過部材の出射面に反射特性を有する材料を塗布して反射部を形成する等してもよい。
本発明の内視鏡用光源装置は、基本的に以上のように構成される。
【００５２】
ここで、本発明の発明者は、上述の特許文献１および２のように、狭帯域光光源が点灯していない場合、すなわち、通常光モードにおいて、内視鏡用光源装置から出射するキセノン光源からの白色光における特定波長域の光量が大幅に低減するのを極力抑えるために、鋭意検討した結果、次のような形状の反射部材５４を導き出した。
【００５３】
本発明の発明者は、例えば、白色光と狭帯域光とを合波するために、図７に示すような、自身の出射面に対して半分の面積を占める半楕円状の反射部材１５４と同様の面積を有する透過部材１５２とで成る合波部材１４６を用いた実験を行った。
この場合、上述の特許文献１および２のような白色光の光路全面を覆う大きさのダイクロイックミラーを用いた場合と比較すると、通常光モードにおける白色光における特定波長域の光量の低減を抑制することができた。
しかしながら、このような合波部材を用いた場合には、通常光モードおよび特殊光モードのいずれの場合でも、キセノン光源からの白色光の特定波長域成分の光量の半分が失われてしまうため、内視鏡観察において得られる画像が暗くなり高度な診察ができないという問題があった。
【００５４】
そこで、本発明の発明者は、通常光モードおよび特殊光モードのいずれの場合でも白色照明光における特定波長域の光量の大幅な低減を極限まで抑制するために、鋭意検討した結果、合波部材４６の出射面に対する反射部材５４の形状及びサイズ（大きさ）に関し、合波部材４６の白色光の進行光路に対する所定傾斜角度をθとした場合には、その長手方向の長さが、これに直交する短手方向の長さより長く、かつ、第１の光源部２４から出射された白色光の光束の幅の（１／ｓｉｎθ）倍にほぼ等しい扁平な形状を有する反射部材５４を、透過部材５２の出射面の中央部に設ければよいことを知見した。
【００５５】
さらに、本発明の発明者は、上記のような条件を満たす反射部材５４の形状及びサイズ（大きさ）、さらには、このような反射部材５４の形状及びサイズに略一致するように、特殊光光源４２から出射された狭帯域光の光束を扁平に整形するコリメータレンズ４４に用いられる２種のシリンドリカルレンズの焦点距離を具体的に導き出した。
以下に、図８および図９を用いて説明する。
なお、この具体例においては、合波部材４６は、第１の光源部２４から出射される白色光の進行光路に対して略４５°に傾斜させて配置されているものとする。
【００５６】
ここでは、例えば、図８に示すように、狭帯域光の光源として半導体レーザからなる特殊光光源４２を用いるとする。
この場合に、半導体レーザからなる特殊光光源４２から出射される狭帯域光は、半導体レーザの活性層に平行な方向に対して約２０°の広がり角を有し、半導体レーザの活性層に垂直な方向に対して約１０°の広がり角を有するものとし、狭帯域光の広がり角が広い側を合波部材４６の反射部材５４の扁平な形状の長辺側（長手方向）、すなわち、特殊光光源４２から合波部材４６までの狭帯域光の光路に対して図８の上下方向とし、狭帯域光の広がり角が狭い側を合波部材４６の反射部材５４の扁平な形状の短辺側（短手方向）、すなわち、特殊光光源４２から合波部材４６までの狭帯域光の光路に対して図８の紙面に垂直な方向とする。
また、この具体例においては、狭帯域光をガウス分布で表した際のガウスビームの相対放射強度が等高線半径の中心で１００％である時の５０％である等高線半径間に含まれる分布、したがって、５０％以上のガウスビーム、すなわち、図９の斜線で表す部分の光のみを用いるものとする。
さらに、キセノン光源３６からの白色光の平行光束の太さの直径は、２５．４ｍｍとし、透過部材５２（合波部材４６）の出射面の形状は楕円形であるものとする。
また、反射部材５４の反射面の扁平形状は略長方形であり、長手方向の長さは、白色光の平行光束の直径の（√２／２）倍におよそ等しく、さらに、その面積（サイズ）は、合波部材４６の出射面の約２０％の面積を占めるものとする。
【００５７】
上記のような条件で、反射部材５４を設計した場合、透過部材５２（合波部材４６）の出射面の長手方向の半径をａ、短手方向の半径をｂとし、白色光の光束の直径をｒとすると、上述の通り、反射部材５４の長手方向の長さは、白色光の光束の直径の√２倍であるため、反射部材５４の反射面の短手方向の長さは、
（ａ×ｂ×π）×２０％／（２ｒ×√２／２）
で表わされる。
ここで、透過部材５２（合波部材４６）の出射面の長手方向の半径ａは、白色光の平行光束の太さの√２／２倍の半分であり、短手方向の半径ｂは、白色光の平行光束の太さの半分である。
そのため、上記式に具体的な数値を算入すると、反射部材５４の反射面の短手方向の長さは、
（２５．４×√２／４×２５．４／２×π）×２０％／（２５．４×√２／２）
で表され、計算すると約４ｍｍとなる。
【００５８】
次に、このような合波部材４６を用いた場合の特殊光光源４２の発光点とコリメータレンズ４４の焦点距離との関係について説明する。
【００５９】
図８に示すように、特殊光光源４２の発光点とコリメータレンズ４４との焦点距離をｆとし、特殊光光源４２からの狭帯域光がコリメータレンズ４４に達した時の狭帯域光の光路の中心軸からこれに垂直な方向の図８中の上下方向における狭帯域光の広がり、すなわち、光路の中心軸から狭帯域光の外縁までの距離ｈは、狭帯域光の中心軸に垂直な方向の図８中の上下方向の狭帯域光の広がり角を２θとすると、狭帯域光の光路の中心軸と狭帯域光の外縁との成す角はθなるので、ｈ＝ｆ・ｓｉｎθで表わされる。ここで、狭帯域光の図８中の上下方向の広がり角２θは、上述したように約２０°であるので、θ＝１０°である。したがって、ｈ＝ｆ・ｓｉｎ１０°となる。
【００６０】
一方、光路の中心軸から距離ｈの位置まで外縁が広がった図８中の上下方向の幅２ｈを持つ狭帯域光は、コリメータレンズ４４によって平行光とされるので、図８中の上下方向の幅２ｈを持つ狭帯域光の外縁は、光路の中心軸に対して４５°傾斜して配置されている合波部材４６の反射部材５４の長手方向の外縁と一致する。その結果、反射部材５４の長手方向の長さをＬ１とすると、２ｈ＝Ｌ１・ｓｉｎ４５°となり、ｈ＝（Ｌ１／２）・ｓｉｎ４５°となる。ここで、反射部材５４の長手方向の長さＬ１は、２５．４ｍｍであるので、ｈ＝（２５．４／２）・ｓｉｎ４５°＝１２．７・ｓｉｎ４５°となる。
【００６１】
その結果、ｈ＝ｆ・ｓｉｎθ＝（Ｌ１／２）・ｓｉｎ４５°から、ｆ＝（Ｌ１／２）・ｓｉｎ４５°／ｓｉｎθとなる。ここで、θ＝１０°であり、Ｌ１＝２５．４ｍｍであるので、ｆ＝１２．７・ｓｉｎ４５°／ｓｉｎ１０°＝５１．７ｍｍ（５６．１）となり、ｆ≒５２（５６）ｍｍとなる。
こうして、狭帯域光を扁平形状にするためのコリメータレンズ４４には、狭帯域光の扁平形状の長手方向（長辺方向）、すなわち図８中の上下方向の幅を整形するための長手方向にのみパワーを持つ焦点距離約５２（５６）ｍｍのシリンドリカルレンズが必要である。
【００６２】
他方、図８に示す構成において、狭帯域光がコリメータレンズ４４に達した時の狭帯域光の光路の中心軸から図８の紙面に垂直な方向における狭帯域光の広がり、すなわち、光路の中心軸から狭帯域光の外縁までの距離ｈも、図８の紙面に垂直な方向の狭帯域光の広がり角を２θとすると、同様に、ｈ＝ｆ・ｓｉｎθで表わされる。ここで、狭帯域光の図８の紙面に垂直な方向の広がり角２θは、上述したように約１０°であるので、θ＝５°である。したがって、ｈ＝ｆ・ｓｉｎ５°となる。
【００６３】
一方、光路の中心軸から距離ｈの位置まで外縁が広がった図８の紙面に垂直な方向の幅２ｈを持つ狭帯域光は、コリメータレンズ４４によって平行光とされるので、図８の紙面に垂直な方向の幅２ｈを持つ狭帯域光の外縁は、合波部材４６の反射部材５４の短手方向の外縁と一致する。しかしながら、反射部材５４は、図８の紙面に垂直な方向には傾斜していないので、反射部材５４の短手方向の長さをＬ２とすると、２ｈ＝Ｌ２となり、ｈ＝（Ｌ２／２）となる。ここで、反射部材５４の短手方向の長さをＬ２は、約４ｍｍであるので、ｈ＝（４／２）＝２ｍｍとなる。
【００６４】
その結果、ｈ＝ｆ・ｓｉｎθ＝（Ｌ２／２）から、ｆ＝（Ｌ２／２）／ｓｉｎθとなる。ここで、θ＝５°であり、Ｌ１＝４ｍｍであるので、ｆ＝２／ｓｉｎ５°＝２２．９ｍｍとなり、ｆ≒２３ｍｍとなる。
こうして、狭帯域光を扁平形状にするためのコリメータレンズ４４には、狭帯域光の扁平形状の短手方向（短辺方向）、すなわち図８の紙面に垂直な方向の幅を整形するための短手方向にのみパワーを持つ焦点距離約２３ｍｍのシリンドリカルレンズが必要である。
【００６５】
このようなそれぞれの方向のみに焦点距離を持つ２つのシリンドリカルレンズからなるコリメータレンズ４４を用いることにより、上記のような合波部材４６の反射部材５４の形状および大きさに応じた扁平形状を持つ狭帯域光を反射部材５４に入射させることができる。その結果、白色光における特定波長域の光量が低減することを極限まで抑制し、これにより、特殊観察および通常観察のいずれの観察においても、高精度かつ全体的に明るい画像を得ることができ、高度な内視鏡診断を可能にすることができる。
【００６６】
次に、本発明の内視鏡用光源装置を有する内視鏡システムの作用について説明する。
【００６７】
上述の通り、光源装置１４は、通常光モード及び特殊光モードの両方に用いられるキセノン（Ｘｅ）光源２４と、特殊光モードにおいて青紫色レーザ光源（４０５ＬＤ）又は青色ＬＥＤを用いる特殊光光源２６とを発光源として備えている。これら各光源２４及び２６からの発光は、光源制御部（図示せず）により個別に制御されており、キセノン光源２４の出射光（白色光）と、特殊光光源２６の出射光（狭帯域光）の光量比は変更自在になっている。
【００６８】
通常光モードの場合、キセノン光源２４から出射される白色光は、リフレクタ３４によって平行光とされ、合波部材４６を透過し、回転式フィルタ４７の第１のフィルタ組のいずれかのフィルタ（Ｒ１フィルタ部４７ｒ１、Ｇ１フィルタ部４７ｇ１、Ｂ１フィルタ部４７ｂ１）を順次透過し、Ｒ光、Ｇ光及びＢ光の面順次光とされ、順次、集光レンズ４８において集光されて、ロッドインテグレータ５０に入射する。
【００６９】
特殊光モードの場合、キセノン光源２４から出射される白色光は、リフレクタ３４で平行光となり、他方、特殊光光源２６から出射される狭帯域光は、コリメータレンズ４４によって、自身の光束の縦横比が、合波部材４６の反射部材５４の長手方向の長さを（ｓｉｎθ）倍した長さと反射部材５４の短手方向の長さとの比と等しくなるように整形された扁平な状態の平行光となる。
【００７０】
次いで、合波部材４６において、白色平行光は、合波部材４６を透過し、他方、上記のように整形された扁平な状態の狭帯域平行光は、反射部材５４に反射されて、透過した白色光の光路に合波されて合波光となる。
さらに、合波光は、回転式フィルタ４７の第２のフィルタ組（Ｇ２フィルタ部４７ｇ２、Ｂ２フィルタ部４７ｂ２、遮光フィルタ部４７Ｃｕｔ）のいずれかのフィルタを順次透過し、Ｇ光及びＢ光の面順次光とされ、順次、集光レンズ４８に入射し、集光レンズ４８によって集光されて、ロッドインテグレータ５０に入射する。
【００７１】
通常光モード及び特殊光モードいずれの場合においても、ロッドインテグレータ５０に入射した光は、ロッドインテグレータ５０内で反射を繰り返し、出射時には出射面内の光量分布が均一になる。
特に、特殊光モード時において、合波光の各面順次光において、狭帯域光は、ロッドインテグレータ５０に、反射部材５４の長手方向においては白色光と同じＮＡで入射し、短手方向においては白色光よりも細い幅で入射するが、ロッドインテグレータから出射する際には、出射面内の光量分布が均一になる。
【００７２】
すなわち、通常光モード及び特殊光モードのいずれの場合も、ロッドインテグレータ５０を通過した光は光量分布が均一になり、光ファイバ２０に入力され、コネクタ部に伝送される。コネクタ部まで伝送された光は、照明光学系を構成する光ファイバ２０によって、それぞれ内視鏡１２の先端部まで伝搬される。そして、特殊光モード時においては、特殊光光源４２から出射されたレーザ光は、狭帯域波長の照明光（いわゆる狭帯域光）となる。
【００７３】
上述したように、通常光モードの白色光の面順次光、または、特殊光モードの白色光と狭帯域光との合波光の面順次光は、内視鏡１２の先端部の照射口２８Ａから被検体の被観察領域に向けて照射される。そして、照明光として面順次光が照射された被観察領域からの戻り光が、順次、受光部２８Ｂを介して撮像素子２２の受光面上に結像され、撮像素子２２によって被観察領域が面順次光の各色毎に撮像される。
撮像後に撮像素子２２から出力される撮像画像の各色の画像信号は、スコープケーブル４１を通じてプロセッサ１６の画像処理システム２８に入力される。
【００７４】
次に、こうして撮像素子２２によって撮像された撮像画像の各色の画像信号は、プロセッサ１６の画像処理システム２８を含む信号処理系によって画像処理され、モニタ３０や記録装置３２にカラー画像として出力され、ユーザの観察に供される。
【００７５】
なお、上記実施例においては、回転式フィルタ４７を用いて白色光及び合波光の面順次光を生成し、生成された面順次光を撮影対象に照射し、撮影対象からの戻り光をモノクロの撮像素子（センサ）２２で撮像する面順次方式の撮像を行う構成としているが、本発明はこれに限定されず、回転式フィルタ４７を用いずに、カラー撮像素子を用いる同時方式の撮像を行う構成としてもよい。
【００７６】
以上、本発明の内視鏡用光源装置についての実施例を詳細に説明したが、本発明は上記実施例に限定されず、本発明の主旨を逸脱しない範囲において、種々の改良又は変更をしてもよいのはもちろんである。
【符号の説明】
【００７７】
１０  内視鏡システム
１２  内視鏡
１４  光源装置
１６  プロセッサ
１８  入出力部
２０  光ファイバ
２２  撮像素子
２４  第１の光源部
２６  第２の光源部
２８  画像処理システム
３０  表示部（モニタ)
３２  入力部
３４  リフレクタ
３６  キセノン光源
４２  特殊光光源
４４  コリメータレンズ
４６  １４６  合波部材
４７  回転フィルタ
４８  合集光レンズ
５０  ロッドインテグレータ
５２  １５２  透過部材
５４  １５４  反射部材
【図１】
0005450342.tif 000002
【図２】
0005450342.tif 000003
【図３】
0005450342.tif 000004
【図４】
0005450342.tif 000005
【図５】
0005450342.tif 000006
【図６】
0005450342.tif 000007
【図７】
0005450342.tif 000008
【図８】
0005450342.tif 000009
【図９】
0005450342.tif 000010